(57)【要約】【課題】突発的な事態が発生した際に、その事態を解決する機能を迅速に起動または停止できる装置を提供する。【解決手段】自装置の筐体を叩くノックの強度，回数，周期が特定のパターンであるノックを特定ノックとして検知する特定ノック検知手段と、前記特定ノックと対応付けて１以上の機能を記憶する特定機能記憶手段と、を有し、前記特定ノックを検知した場合に、前記特定機能記憶手段を参照し、前記検知した特定ノックに対応する１以上の機能を起動または停止する。【選択図】図１
2018085702.tif 000002
【特許請求の範囲】
【請求項１】
所定の機能を備える情報装置または通信装置またはその他の電子装置において、
予め定められた強度以上の強度で自装置の筐体を叩くノックまたは自装置の筐体を叩くノックの強度，回数，周期が特定のパターンであるノックを特定ノックとして検知する特定ノック検知手段と、前記特定ノックと対応付けて１以上の機能を記憶する特定機能記憶手段と、を有し、
前記特定ノックを検知した場合に、前記特定機能記憶手段を参照し、前記検知した特定ノックに対応する１以上の機能を起動または停止することを特徴とする特定ノック検知機能を有する装置。
【請求項２】
請求項１に記載の装置であって、
前記特定ノック検知手段および前記特定機能記憶手段は、自装置の主電源がオフの状態または自装置が待機中の状態でも動作し、前記主電源をオンにする機能または前記待機中の状態から動作中の状態に遷移させる機能が前記特定機能記憶手段に記憶されていた場合に、前記主電源がオフの状態または待機中の状態で前記機能に対応する特定ノックを検知したならば、前記主電源をオンにする、または前記待機中の状態から動作中の状態に遷移することを特徴とする特定ノック検知機能を有する装置。
【請求項３】
請求項１または２に記載の装置であって、
前記特定ノックを検知した場合に、前記特定ノックに対応する機能が停止中ならば前記機能を起動し、前記機能が動作中ならば前記機能を停止することを特徴とする特定ノック検知機能を有する装置。
【請求項４】
請求項１〜３のいずれかに記載の装置であって、
前記検知した特定ノックに対応する機能を起動した場合に、前記機能を起動してから予め定められた時間が経過したならば、前記機能を自動的に停止することを特徴とする特定ノック検知機能を有する装置。
【発明の詳細な説明】
【技術分野】
【０００１】
本発明は、筐体をノックするだけで、所定の機能を起動または停止する装置に関する。
【背景技術】
【０００２】
移動中の電車の車内や会議中の会議室に居る状況等において、所持している携帯電話機やスマートホン等の携帯端末の着信音やアラーム音が鳴動した場合、その鳴動音を停止する操作に手間取ることがある。また、会話中に、相手の音声を突発的に録音しようとする際、録音機能を起動する操作に手間取ることがある。これらの停止操作や起動操作は、通常時であれば円滑に操作できるが、突発的な事態の発生に対する迅速な操作が必要な場合や、周囲への迷惑を早く回避しようと気持ちが焦った場合、慌てて操作しようとするために、かえって操作に手間取ることや、焦って誤操作することになる。
【０００３】
これを改善する技術として、端末に振動センサを内蔵し、当該装置を叩く等により振動センサにショックを与え、振動センサが検知した振動を予め設定したキー操作に置き換える技術がある（例えば、特許文献１）。
【０００４】
しかしながら、特許文献１に記載された技術は、特に、暗闇での携帯電話機操作等、手探り状況におけるキー操作を改善するものであり、突発的な状況における各種機能自体の起動または停止に係る操作を代替することまでは想定していない。
【先行技術文献】
【特許文献】
【０００５】
【特許文献１】特開２００１−２５１４１９号公報
【発明の概要】
【発明が解決しようとする課題】
【０００６】
そこで、本発明の課題は、突発的な事態が発生した際に、その事態を解決する機能を迅速に起動または停止できる装置を提供することにある。
【課題を解決するための手段】
【０００７】
上記課題を解決するために、本発明は、所定の機能を備える情報装置または通信装置またはその他の電子装置において、予め定められた強度以上の強度で自装置の筐体を叩くノックまたは自装置の筐体を叩くノックの強度，回数，周期が特定のパターンであるノックを特定ノックとして検知する特定ノック検知手段と、前記特定ノックと対応付けて１以上の機能を記憶する特定機能記憶手段と、を有し、前記特定ノックを検知した場合に、前記特定機能記憶手段を参照し、前記検知した特定ノックに対応する１以上の機能を起動または停止することを特徴とする。
【発明の効果】
【０００８】
本発明によれば、突発的な事態が発生した際に、筐体をノックするだけで、その事態を解決できるので、操作が簡単で迅速である。しかも、特定のノックパターンを複数登録しておけば、複数の機能を選択的に起動または停止することが可能である。しかも、ノックパターンは操作者自身が登録するので誤操作を軽減できる。
【図面の簡単な説明】
【０００９】
【図１】本発明の実施形態に係るブロック構成図である。
【図２】本発明の実施形態に係る機能と特定ノックパターンの対応例である。
【図３】本発明の実施形態に係る動作フローチャートである。
【発明を実施するための形態】
【００１０】
以下、本発明の実施の形態として、スマートホン，モバイルパソコン，携帯電話機等の携帯端末を例に、図面を用いて説明する。
【００１１】
図１は、特定ノック検知機能を有する携帯端末（以下、本端末と略す）の実施形態に係るブロック構成図である。本端末は、筐体１、端末制御部１０，無線通信部１１，振動センサ１２，特定ノック機能記憶部１３，ノックパターン解析部１４，操作部１５，音声入出力部１６，表示部１７，電源部１８から構成される。
【００１２】
筐体１は、本端末を覆う、プラスチック，金属等で成形された筐体である。筐体１を手でノックすると、そのノックにより発生した物理的な振動が振動センサ１２に伝わる。
【００１３】
端末制御部１０は、本端末の各部を制御すると共に、スマートホン，モバイルパソコン，携帯電話機等の携帯端末としての一般的な機能に係る処理を実行する。また、端末制御部１０は、特定ノック機能記憶部１３，ノックパターン解析部１４と連携し、振動センサ１４が検知した振動データに対応する機能の起動または停止に係る処理を実行する。なお、端末制御部１０は、電源部１８の主電源がオフの状態であっても、電源部１８のプリ電源から給電され、本端末が停止中または待機中の状態であっても動作する。端末制御部１０の詳細な動作については後述する。
【００１４】
無線通信部１１は、無線通信網を介して、他の携帯端末や、一般的な情報提供サーバ，電話装置等と無線通信する手段であり、各種データ，音声信号，映像信号等を通信先と授受する。
【００１５】
振動センサ１２は、本端末の筐体１の裏面に設置されたセンサであり、筐体１の表面をノックして発生させた振動、または本端末を手で振って発生させた振動を検知する手段であり、例えば、加速度検出デバイスを内蔵している。振動センサ１４は、検出した振動データを端末制御部１０およびノックパターン解析部１４へ出力する。なお、振動センサ１２は、電源部１８の主電源がオフの状態であっても、電源部１８のプリ電源から給電され、本端末が停止中または待機中の状態であっても振動を検知できる。
【００１６】
特定ノック機能記憶部１３は、本端末の筐体１を特定のノックパターンでノックして発生させた振動データの変動パターンと、起動または停止する機能を識別する情報を対応付けて記憶する手段である。
【００１７】
ノックパターン解析部１４は、振動センサ１２が検知した振動データの変動パターンと、特定ノック機能記憶部１３に登録されている振動データの変動パターンを比較する手段であり、比較結果を端末制御部１０へ出力する。なお、ノックパターン解析部１４は、電源部１８の主電源がオフの状態であっても、電源部１８のプリ電源から給電され、本端末が停止中または待機中の状態であっても動作する。
【００１８】
操作部１５は、本端末を操作する手段である（例えば、タッチパネルやキー操作パネル）。操作部１５に為された操作内容は、端末制御部１０へ出力される。
【００１９】
音声入出力部１６は、音声情報を入力するマイクおよび音声情報を再生するスピーカを含み（図示せず）、スマートホン，モバイルパソコン，携帯電話機等の携帯端末としての、通話や音声入出力に係る処理を実行する手段である。
【００２０】
表示部１７は、端末制御部１０から出力された表示情報を表示する手段であり、例えば、ＬＣＤ，ＥＬ，ＬＥＤ等の表示デバイスを含んでいる。
【００２１】
電源部１８は、電力を供給する手段であって、本端末の各部へ電力を供給する主電源と、待機中（主電源オフ）でも動作する、端末制御部１０，無線通信部１１，振動センサ１２，特定ノック機能記憶部１３等へ電力を供給するプリ電源を含んでいる。
【００２２】
図２は、特定ノック機能記憶部１３の記憶内容の例であり、本発明の実施形態に係る機能と特定ノックパターンの対応関係を示している。列２００は機能識別ＩＤ、列２０１は制御対象機能、列２０２は特定ノックパターン、列２０３は特定ノックによる動作内容である。
【００２３】
列２００の機能識別ＩＤは、本端末が備える機能の内、特定ノックパターンで起動または停止する機能を識別する情報である。列２０１の制御対象機能は、機能識別ＩＤに対応する制御対象機能を示している。列２０２の特定ノックパターンは、制御対象機能を起動または停止するための特定のノックパターン（特定ノック）を示している。列２０３の特定ノックによる動作内容は、特定のノックパターンで発生させた振動データで制御する機能の動作内容を示している。なお、その動作内容としては、当該機能の起動，停止，トグル（起動／停止の交互）のいずれかである。
【００２４】
図２の例において、機能ＩＤ１の機能例（鳴動）は、着信やアラームに対応する制御例であり、鳴動中に強く１回ノックすることで、鳴動を停止する、またはマナーモードを起動することを示している。これにより、例えば、会議中や移動中の車中等の状況において、突然、着信音やアラーム音が鳴動しても、本端末を直接強く１回ノックする、またはポケット等に収まっている状態のまま服の上から強く１回ノックするだけで、周囲に迷惑となる鳴動音を停止できる。なお、操作部１５で鳴動停止操作する通常操作も可能だが、慌てた状況では誤操作する可能性があり、強く１回ノックするだけの方が、簡単で確実である。
【００２５】
また、機能ＩＤ２の機能例（ボイスレコーダ）は、本端末が備えるボイスレコーダ機能に対応する制御例であり、非鳴動中に強く１回ノックする毎に、録音の起動／停止を繰返すことを示している。これにより、例えば、打合せ等において、本端末をポケット等に収まっている状態のまま服の上から強く１回ノックするだけなので、相手に悟られずに録音を起動または停止することができる。
【００２６】
さらに、機能ＩＤ３の機能例（緊急通報）は、本端末が備える緊急通報機能に対応する制御例であり、連続的に本端末を強くノックするだけで、端末制御部１０内のメモリ（図示せず）に予め登録されている通報先へ、緊急事態の発生を知らせる音声メッセージまたは電子メールを自動的に発信する。これにより、例えば、歩行中に事故や事件に巻き込まれた有った場合等において、本端末をポケット等に収まっている状態のまま、服の上からでも連続的に強くノックするだけで緊急事態を通報できるので、安心である。なお、図示しないが、通報する際に本端末の現在位置情報を含めれば、通報される側の対応も効率的であることは言うまでもない。
【００２７】
なお、図２に示した制御対象機能は例であって、本端末が備える任意の機能を制御対象機能とすることが可能であり、所望の機能と任意の特定ノックパターンを対応付けて特定ノック機能記憶部１３に登録するので、操作者に固有な操作性を提供できる。
【００２８】
図３は、本発明の実施形態に係る動作フローチャートである。本フローは本端末の主電源がオフまたは本端末が待機中の状態でスタートし（Ｓ３００）、振動センサ１２による特定ノックの検知（Ｓ３０１），本端末の電源をオンする操作または待機中の本端末をウェイクアップする操作（Ｓ３０２）の入力を待つ（Ｓ３０１）。
【００２９】
Ｓ３０１において、電源部１８の主電源をオンするコマンドに対応する特定ノック、または待機中の状態から動作中の状態に遷移（ウェイクアップ）するコマンドに対応する特定ノックの振動を、振動センサ１２が検知した場合（Ｓ３０１，ＹＥＳ）、または電源をオンする操作もしくは待機中の本端末をウェイクアップする操作が為された場合（Ｓ３０２，ＹＥＳ）、電源部１８の主電源をオンにし、本端末を停止中または待機中から動作中に遷移し（Ｓ３０３）、Ｓ３０４へ進む。
【００３０】
ここで、主電源をオンにするコマンドに対応する特定ノック、または待機中の状態から動作中の状態に遷移（ウェイクアップ）するコマンドに対応する特定ノックの振動の検知は、後述のＳ３２０およびＳ３２１と同様であり、ノックパターン解析部１４は、振動センサ１２が検知した振動を解析してノックパターンを抽出し、抽出したノックパターンと特定ノック機能記憶部１３に登録されている特定ノックパターンを対比し、抽出したノックパターンが上記コマンドに対応する特定ノックであるか否かを判定する。
【００３１】
なお、端末制御部１０，振動センサ１２，特定ノック機能記憶部１３，ノックパターン解析部１４は、電源部１８の主電源がオフの状態でも、電源部１８のプリ電源から電力を供給され、主電源がオフの状態であっても、Ｓ３０１〜Ｓ３０３のフローを実行できる。
【００３２】
これにより、本端末の筐体１をノックするパターン（ノックの強度，回数，周期）を操作者固有のノックパターンとして、特定ノック機能記憶部１３に登録しておけば、そのノックパターン自体、またはそのノックパターンとその他のパスワードとの組み合わせで、主電源をオンする、または待機中から動作中に遷移するためのパスワードとすることもできる。
【００３３】
Ｓ３０４において、操作者が筐体１をノックして発生させた機械的な振動を新たに検知した場合（Ｓ３０４，ＹＥＳ）、ノックパターン解析部１４は、入力されたノック振動を解析し、ノックパターンを抽出し、抽出したノックパターンを端末制御部１０へ出力し、端末制御部１０はそのノックパターンを一時的に記憶し（Ｓ３０５）、Ｓ３１０へ進む。Ｓ３０４でＮＯであれば、本端末が備える各種機能に係る処理を実行し（Ｓ３０６）、Ｓ３０４へ戻る。なお、本端末が備える各種機能とは、情報装置または通信装置またはその他の電子装置としての本端末が備える一般的な機能であり、その詳細は省く。
【００３４】
Ｓ３１０において、操作部１５から登録操作が為された場合（Ｓ３１０，ＹＥＳ）、端末制御部１０は登録画面を表示部１７に表示し、操作部１５から操作内容に従って、一時的に記憶したノックパターン（図２の列２０２）と、機能ＩＤ（図２の列２００）と、ノックによる動作内容（図２の列２０３）を対応付けて登録（記憶）し、Ｓ３０１へ戻る。これにより、操作者は任意のノックパターンを任意の機能と対応付けて登録することが可能となり、操作者固有の操作性を提供できる。Ｓ３１０でＮＯであれば、Ｓ３２０へ進む。
【００３５】
Ｓ３２０において、抽出したノックパターンが特定ノック機能記憶部１３に記憶されている特定ノックパターン（図２の列２０２）のいずれかと一致するか否かを判定し、一致すると判定した場合（Ｓ３２０，ＹＥＳ）、特定ノック機能記憶部１３に記憶されている内容に従って、当該ノックパターンが指定する機能と特定ノックによる動作内容を特定し（Ｓ３２１）、Ｓ３３０へ進む。Ｓ３２０でＮＯであれば、Ｓ３０４へ戻る。
【００３６】
Ｓ３３０において、特定ノック動作が起動であった場合（Ｓ３３０，ＹＥＳ）、端末制御部１０は、該当機能を起動し、タイマー（例えば、３０分）をスタートし（Ｓ３３１）、Ｓ３４０へ進む。Ｓ３３０でＮＯであれば、Ｓ３３１をスキップしてＳ３４０へ進む。
【００３７】
Ｓ３４０において、特定ノック動作が停止であった場合（Ｓ３４０，ＹＥＳ）、端末制御部１０は、該当機能を停止すると共に、動作中のタイマーを停止，リセットし（Ｓ３４１）、Ｓ３５０へ進む。Ｓ３４０でＮＯであれば、Ｓ３４１をスキップしてＳ３５０へ進む。
【００３８】
Ｓ３５０において、特定ノック動作がトグルであった場合（Ｓ３５０，ＹＥＳ）、端末制御部１０は、該当機能が動作中であれば（Ｓ３５１，ＹＥＳ）、該当機能を停止すると共に、動作中のタイマーを停止，リセットし（Ｓ３５１）、Ｓ３６０へ進む。Ｓ３５１でＮＯであれば、端末制御部１０は、該当機能を起動し、タイマーをスタートし（Ｓ３５３）、Ｓ３６０へ進む。Ｓ３５０でＮＯであれば、Ｓ３５１〜Ｓ３５３をスキップしてＳ３６０へ進む。
【００３９】
Ｓ３６０において、動作中のタイマーが満了した場合（タイムアウト）、または電源部１８の主電源をオフする操作が為された場合、または作業を一旦中断して待機中の状態へ遷移する操作が為された場合、のいずれかの場合（Ｓ３６０，ＹＥＳ）、端末制御部１０は、特定ノックで起動した機能を停止または待機中に遷移し、主電源をオフにし（Ｓ３６１）、本フローは終了する（Ｓ３６２）。これにより、本装置が何かと衝突する等のランダムな振動を振動センサ１２が検知し、その振動パターンが偶然的に特定ノックによる振動パターンに一致し、何らかの機能が勝手に起動した場合であっても、Ｓ３６０のタイムアウトにより自動停止するので安心である。Ｓ３６０でＮＯであれば、Ｓ３０４へ戻る。
【００４０】
以上、本発明の実施の形態について説明した。本発明によれば、突発的な事態の発生に対して迅速な対処が必要な場合の操作を支援する、特定ノック検知機能を有する装置を提供することが出来る。しかも、予め定められた強度以上の強度で自装置の筐体を叩くノックおよびまたは強度，回数，周期のいずれかが予め定められた特定パターンである特定ノックだけに反応するので、歩行中や車中の振動で誤動作することを軽減できる。
【００４１】
なお、本発明の実施の形態として、スマートホン，モバイルパソコン，携帯電話機等の携帯端末を例に説明したが、本発明は通信機器や情報機器以外の電子機器一般に適用可能である。例えば、本発明をコンビニエンスストア等に設置されているレジスター端末に適用し、特定ノックで緊急通報を起動するようにすれば、強盗に脅迫されている際の緊急通報手段としても好適である。
【符号の説明】
【００４２】
１・・・筐体
１０・・・端末制御部
１１・・・無線通信部
１２・・・振動センサ
１３・・・特定ノック機能記憶部
１４・・・ノックパターン解析部
１５・・・操作部
１６・・・音声入出力部
１７・・・表示部
１８・・・電源部
【図１】
2018085702.tif 000003
【図２】
2018085702.tif 000004
【図３】
2018085702.tif 000005